【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
システムであって、
無線ネットワークに接続された、ユーザのモバイル機器と、
前記無線ネットワークに接続された１以上のマスター・センサー・ノードと、
前記無線ネットワークを介して、前記１以上のマスター・センサー・ノードと通信する複数のセンサーと、
を含み、
前記モバイル機器は、クラウド・ベースの登録サービスからアプリケーションをダウンロードするように構成され、
前記アプリケーションは、
前記クラウド・ベースの登録サービスに前記モバイル機器を登録することと、
前記クラウド・ベースの登録サービスから独立し、かつ前記１以上のマスター・センサー・ノード及び前記複数のセンサーに関連するサービス提供者を、ユーザが検索できるようにすることと、
前記モバイル機器のＩＤを確認することと、
前記ユーザが、前記サービス提供者に対して予約をすることができるようにすることと、
前記クラウド・ベースの登録サービス経由で、前記１以上のマスター・センサー・ノードに、前記予約と前記モバイル機器の前記ＩＤとを送信することと、
に使用可能であり、
前記１以上のマスター・センサー・ノードは、
前記クラウド・ベースの登録サービスから前記予約と前記ＩＤとを受信し、
前記モバイル機器に関する位置を特定し、
前記モバイル機器が、前記複数のセンサーのうちの１つ又は前記１以上のマスター・センサー・ノードから、予め定義された距離の範囲内にあることを判定する
ように構成されており、
前記複数のセンサーは、
前記モバイル機器が前記予め定義された距離の範囲内にある場合に、前記モバイル機器をスキャンし、
前記モバイル機器を検出し、
前記マスター・センサー・ノードから前記予約を回収し、
前記予約に関するものとして前記モバイル機器の前記ＩＤを認証して、前記予約に関するものとして前記モバイル機器に、前記サービス提供者の認証を与えるように、前記モバイル機器からリクエストを受信し、
前記予約に関するものとして前記モバイル機器を認証し、
前記予約に関するものとして前記サービス提供者の認証を、前記モバイル機器に送信し、
前記モバイル機器に、前記サービス提供者に関する第２のネットワーク接続へのアクセスを提供する
ように構成されているシステム。
【請求項２】
前記位置は、緯度及び経度座標を含む請求項１に記載のシステム。
【請求項３】
前記サービス提供者は、オンラインゲーム提供者である請求項１に記載のシステム。
【請求項４】
前記サービス提供者は、電子取引提供者である請求項１に記載のシステム。
【請求項５】
前記１以上のマスター・センサー・ノードは較正されている請求項１に記載のシステム。
【請求項６】
前記較正は、少なくとも、前記１以上のマスター・センサー・ノードの位置に基づく請求項５に記載のシステム。
【請求項７】
方法であって、
無線ネットワークを介して、ユーザのモバイル機器に通信的に接続された１以上のマスター・センサー・ノードを備えることと、
前記無線ネットワークを介して、前記１以上のマスター・センサー・ノードと通信する複数のセンサーを備えることと、
独立したクラウド・ベースの登録サービスによって、前記１以上のマスター・センサー・ノード及び前記複数のセンサーに関連するサービス提供者を登録することと、
を含み、
前記モバイル機器は、前記クラウド・ベースの登録サービスに登録され、
前記クラウド・ベースの登録サービスは、前記モバイル機器を特定し、かつユーザが、前記サービス提供者を検索して前記サービス提供者に予約をすることができるようにし、
方法は、
前記クラウド・ベースの登録サービスによって、前記１以上のマスター・センサー・ノードで、前記モバイル機器のＩＤと前記予約とを受信することと、
前記１以上のマスター・センサー・ノードによって、前記モバイル機器に関する位置を特定することと、
前記１以上のマスター・センサー・ノードによって、前記モバイル機器が、前記複数のセンサーのうちの１つ又は前記１以上のマスター・センサー・ノードから、予め定義された距離の範囲内にあることを判定することと、
前記モバイル機器が前記予め定義された距離の範囲内にある場合に、前記モバイル機器をスキャンすることと、
前記複数のセンサーによって、前記モバイル機器を検出することと、
前記複数のセンサーによって、前記マスター・センサー・ノードから前記予約を回収することと、
前記複数のセンサーによって、前記予約に関するものとして前記モバイル機器の前記ＩＤを認証して、前記予約に関するものとして前記モバイル機器に、前記サービス提供者の認証を与えるように、前記モバイル機器からリクエストを受信することと、
前記複数のセンサーによって、前記予約に関するものとして前記モバイル機器を認証することと、
前記複数のセンサーによって、前記予約に関するものとして前記サービス提供者の認証を、前記モバイル機器に送信することと、
前記モバイル機器に、前記サービス提供者に関する第２のネットワーク接続へのアクセスを提供することと、
を含む方法。
【請求項８】
前記位置は、緯度及び経度座標を含む請求項７に記載の方法。
【請求項９】
前記サービス提供者は、オンラインゲーム提供者である請求項７に記載の方法。
【請求項１０】
前記サービス提供者は、電子取引提供者である請求項７に記載の方法。
【請求項１１】
前記１以上のマスター・センサー・ノードは較正されている請求項７に記載の方法。
【請求項１２】
前記較正は、少なくとも、前記１以上のマスター・センサー・ノードの位置に基づく請求項１１に記載の方法。
【請求項１３】
システムであって、
無線ネットワークに接続された、ユーザのモバイル機器と、
前記無線ネットワークに接続された１以上の較正されたマスター・センサー・ノードと、
前記無線ネットワークを介して、前記１以上のマスター・センサー・ノードと通信する複数のセンサーと、
を含み、
前記モバイル機器は、クラウド・ベースの登録サービスからアプリケーションをダウンロードするように構成され、
前記アプリケーションは、
前記クラウド・ベースの登録サービスに前記モバイル機器を登録することと、
前記クラウド・ベースの登録サービスから独立し、かつ前記１以上のマスター・センサー・ノード及び前記複数のセンサーに関連するサービス提供者を、ユーザが検索できるようにすることと、
前記モバイル機器のＩＤを確認することと、
前記ユーザが、前記サービス提供者に対して予約をすることができるようにすることと、
前記クラウド・ベースの登録サービス経由で、前記１以上のマスター・センサー・ノードに、前記予約と前記モバイル機器の前記ＩＤとを送信することと、
に使用可能であり、
前記１以上のマスター・センサー・ノードは、
前記モバイル機器に関する位置を特定し、
前記サービス提供者への前記モバイル機器の到着予測時刻を特定し、
前記クラウド・ベースの登録サービスから、前記予約と前記ＩＤと位置と前記モバイル機器の前記到着予測時刻を受信し、
前記モバイル機器が、前記複数のセンサーのうちの１つ又は前記１以上のマスター・センサー・ノードから、予め定義された距離の範囲内にあることを判定する
ように構成されており、
前記複数のセンサーは、
前記モバイル機器が前記予め定義された距離の範囲内にある場合に、前記モバイル機器をスキャンし、
前記モバイル機器を検出し、
前記マスター・センサー・ノードから前記予約を回収し、
前記予約に関するものとして前記モバイル機器の前記ＩＤを認証して、前記予約に関するものとして前記モバイル機器に、前記サービス提供者の認証を与えるように、前記モバイル機器からリクエストを受信し、
前記予約に関するものとして前記モバイル機器を認証し、
前記予約に関するものとして前記サービス提供者の認証を、前記モバイル機器に送信し、
前記モバイル機器に、前記サービス提供者に関する第２のネットワーク接続へのアクセスを提供する
ように構成されているシステム。
【請求項１４】
前記サービス提供者は、オンラインゲーム提供者である請求項１３に記載のシステム。
【請求項１５】
前記サービス提供者は、電子取引提供者である請求項１３に記載のシステム。
【請求項１６】
前記１以上のマスター・センサー・ノードの前記較正は、少なくとも、前記１以上のマスター・センサー・ノードの位置に基づく請求項１３に記載のシステム。
【請求項１７】
１以上のマスター・ノードは、ＩＯＴ無線周波数アクチュエーター・ノードである請求項１３に記載のシステム。
【請求項１８】
前記複数のセンサーは、更に、前記サービス提供者に対して前記モバイル機器を認証する前に、前記モバイル機器から、少なくとも１つの追加要素を要求するように構成されている請求項１３に記載のシステム。
【請求項１９】
前記１以上のマスター・センサー・ノードは、
障害物の無い位置に前記１以上のマスター・センサー・ノードを動かすことと、
前記１以上のマスター・センサー・ノードの第１の位置を取得することと、
所定時間内に、前記サービス提供者に関する第２の位置に前記１以上のマスター・センサー・ノードを設置することと、
によって、較正されている請求項５に記載のシステム。
【請求項２０】
前記１以上のマスター・センサー・ノードは、前記第２の位置から動かされるまで、較正された状態を維持する請求項１９に記載のシステム。
【請求項２１】
前記サービス提供者は、ストリーミング又はダウンロード可能なコンテンツを配信する物理的資産である請求項１に記載のシステム。
【請求項２２】
前記サービス提供者は、カジノと映画館とコンサートホールのうちの１つである請求項２１に記載のシステム。
【請求項２３】
前記サービス提供者は、ストリーミング又はダウンロード可能なコンテンツを配信する物理的資産である請求項７に記載の方法。
【請求項２４】
前記サービス提供者は、カジノと映画館とコンサートホールのうちの１つである請求項２３に記載の方法。
【請求項２５】
前記サービス提供者は、ストリーミング又はダウンロード可能なコンテンツを配信する物理的資産である請求項１３に記載のシステム。
【請求項２６】
前記サービス提供者は、カジノと映画館とコンサートホールのうちの１つである請求項２５に記載のシステム。
【請求項２７】
前記複数のセンサーのうち１つ以上は、ＩＯＴ無線周波数アクチュエーター・ノードである請求項１３に記載のシステム。